(57)【特許請求の範囲】
【請求項１】
絶縁基材と、
前記絶縁基材の一方の面に形成され、複数巻された線パターンからなるアンテナコイルと、
一方のパッドと他方のパッドとの間隔が同一または略同一であって前記アンテナコイルの前記複数巻された線パターンのそれぞれ異なる箇所に接続された複数のパッド対と
を有する
アンテナシート。
【請求項２】
前記複数のパッド対の各々が、前記アンテナコイルの所定位置において、複数巻され並走する複数の線パターンのうち、互いに組み合わせが異なる所定の一組の線パターンに接続することによって、前記一方のパッドから他方のパッドまでの前記アンテナコイルの線パターンの巻数が互いに異なる
請求項１記載のアンテナシート。
【請求項３】
前記一方のパッドと他方のパッドが、前記アンテナコイルの単一または複数の線パターンを隔てて形成されており、
前記複数のパッド対のうちで前記複数の一方のパッドが、前記アンテナコイルの最外周の線パターンに沿って形成されている
請求項１または２記載のアンテナシート。
【請求項４】
前記複数の一方のパッドが、前記アンテナコイルの一端またはその近くに形成されており、
前記複数の他方のパッドのうち最も外周側に位置する第１のパッドは、直線状の線パターンから内周側に突出するように形成されている
請求項３記載のアンテナシート。
【請求項５】
前記複数の他方のパッドのうち前記第１のパッドの次に外周側に位置する第２のパッドは、前記第１のパッドが位置する側では前記直線状の線パターンに隣接する内周側の線パターンが前記第１のパッドの横を通って前記第２のパッドの最内周側に接続されており、前記第１のパッドが位置する側の反対側では前記直線状の線パターンに隣接する内周側の線パターンが前記第２のパッドの最外周側に接続されている
請求項４記載のアンテナシート。
【請求項６】
絶縁基材と、
前記絶縁基材の一方の面に形成され、複数巻された線パターンからなるアンテナコイルと、
一方のパッドと他方のパッドとの間隔が同一または略同一であって前記アンテナコイルの前記複数巻された線パターンのそれぞれ異なる箇所に接続された複数のパッド対と、
前記複数のパッド対のうち何れかのパッド対に接続された部材と
を有する
非接触式データキャリア。
【請求項７】
前記複数のパッド対の各々が、前記アンテナコイルの所定位置において、複数巻され並走する複数の線パターンのうち、互いに組み合わせが異なる所定の一組の線パターンに接続することによって、前記一方のパッドから他方のパッドまでの前記アンテナコイルの線パターンの巻数が互いに異なる
請求項６記載の非接触式データキャリア。
【請求項８】
前記一方のパッドと他方のパッドが、前記アンテナコイルの単一または複数の線パターンを隔てて形成されており、
前記複数のパッド対のうちで前記複数の一方のパッドが、前記アンテナコイルの最外周の線パターンに沿って形成されている
請求項６または７記載の非接触式データキャリア。
【請求項９】
前記複数の一方のパッドが、前記アンテナコイルの一端またはその近くに形成されており、
前記複数の他方のパッドのうち最も外周側に位置する第１のパッドは、直線状の線パターンから内周側に突出するように形成されている
請求項８記載の非接触式データキャリア。
【請求項１０】
前記複数の他方のパッドのうち前記第１のパッドの次に外周側に位置する第２のパッドは、前記第１のパッドが位置する側では前記直線状の線パターンに隣接する内周側の線パターンが前記第１のパッドの横を通って前記第２のパッドの最内周側に接続されており、前記第１のパッドが位置する側の反対側では前記直線状の線パターンに隣接する内周側の線パターンが前記第２のパッドの最外周側に接続されている
請求項９記載の非接触式データキャリア。
【請求項１１】
絶縁性の保護層をさらに有し、
前記絶縁基材の前記一方の面には、前記アンテナコイル、前記複数のパッド対、および前記部材を覆うように前記保護層が設けてある
請求項６〜１０の何れかに記載の非接触式データキャリア。
【請求項１２】
前記部材は、一方の電極端子と他方の電極端子からなる端子対を備えたＩＣチップを有し、
前記一方の電極端子は、前記一方のパッドに接続されており、
前記他方の電極端子は、前記他方のパッドに接続されている
請求項６〜１１の何れかに記載の非接触式データキャリア。
【発明の詳細な説明】
【０００１】
【発明の属する技術分野】
本発明は、アンテナコイルを有するアンテナシートおよび非接触式データキャリアに関する。
【０００２】
【従来の技術】
アンテナコイルを有する非接触式データキャリアが、万引防止装置や物流システム等で使用されている。このような非接触式データキャリアは、例えば、製品の包装箱や製品自体に貼付されて使用される。
【０００３】
非接触式データキャリアを製造する場合、絶縁基材（絶縁性の基材）上に線パターンを周回させることで、アンテナコイルを形成することができる。
アンテナコイルを製造すると、一般的に製造バラツキが発生する。この製造バラツキは、アンテナコイルの特性を変化させ、非接触式データキャリアの性能に影響を及ぼす。
【０００４】
【発明が解決しようとする課題】
アンテナコイルの特性を調整するため、前記非接触式データキャリアにコンデンサのパターンを形成しておき、当該コンデンサに並列にチップコンデンサを接続してチューニングを行う手法がある。しかし、チップコンデンサの搭載に手間と時間がかかり、コスト高を招く。
アンテナコイルの特性を調整するため、コンデンサのパターンを樹脂基材上に形成し、コンデンサのパターンのうち不要なパターンをレーザビームで焼き切ることでチューニングを行う手法がある。しかし、レーザの使用に手間と時間がかかり、コスト高を招く。
【０００５】
本発明の目的は、アンテナコイルの調整の手間を軽減可能な非接触式データキャリアと、当該非接触式データキャリアに使用可能なアンテナシートとを提供することにある。
【０００６】
【課題を解決するための手段】
本発明に係るアンテナシートは、絶縁基材と、前記絶縁基材の一方の面に形成され、複数巻された線パターンからなるアンテナコイルと、一方のパッドと他方のパッドとの間隔が同一または略同一であって前記アンテナコイルの前記複数巻された線パターンのそれぞれ異なる箇所に接続された複数のパッド対とを有する。
【０００７】
本発明に係るアンテナシートでは、好適には、前記複数のパッド対の各々が、前記アンテナコイルの所定位置において、複数巻され並走する複数の線パターンのうち、互いに組み合わせが異なる所定の一組の線パターンに接続することによって、前記一方のパッドから他方のパッドまでの前記アンテナコイルの線パターンの巻数が互いに異なる。
【０００８】
本発明に係るアンテナシートでは、好適には、前記一方のパッドと他方のパッドが、前記アンテナコイルの単一または複数の線パターンを隔てて形成されており、前記複数のパッド対のうちで前記複数の一方のパッドが、前記アンテナコイルの最外周の線パターンに沿って形成されている。
【０００９】
本発明に係るアンテナシートでは、より好適には、前記複数の一方のパッドが、前記アンテナコイルの一端またはその近くに形成されており、前記複数の他方のパッドのうち最も外周側に位置する第１のパッドは、直線状の線パターンから内周側に突出するように形成されている。
【００１０】
本発明に係るアンテナシートでは、例えば、前記複数の他方のパッドのうち前記第１のパッドの次に外周側に位置する第２のパッドは、前記第１のパッドが位置する側では前記直線状の線パターンに隣接する内周側の線パターンが前記第１のパッドの横を通って前記第２のパッドの最内周側に接続されており、前記第１のパッドが位置する側の反対側では前記直線状の線パターンに隣接する内周側の線パターンが前記第２のパッドの最外周側に接続されている構成としてもよい。
【００１１】
本発明に係る非接触式データキャリアは、絶縁基材と、前記絶縁基材の一方の面に形成され、複数巻された線パターンからなるアンテナコイルと、一方のパッドと他方のパッドとの間隔が同一または略同一であって前記アンテナコイルの前記複数巻された線パターンのそれぞれ異なる箇所に接続された複数のパッド対と、前記複数のパッド対のうち何れかのパッド対に接続された部材とを有する。
【００１２】
本発明に係る非接触式データキャリアでは、好適には、前記複数のパッド対の各々が、前記アンテナコイルの所定位置において、複数巻され並走する複数の線パターンのうち、互いに組み合わせが異なる所定の一組の線パターンに接続することによって、前記一方のパッドから他方のパッドまでの前記アンテナコイルの線パターンの巻数が互いに異なる。
【００１３】
本発明に係る非接触式データキャリアでは、好適には、前記一方のパッドと他方のパッドが、前記アンテナコイルの単一または複数の線パターンを隔てて形成されており、前記複数のパッド対のうちで前記複数の一方のパッドが、前記アンテナコイルの最外周の線パターンに沿って形成されている。
【００１４】
本発明に係る非接触式データキャリアでは、より好適には、前記複数の一方のパッドが、前記アンテナコイルの一端またはその近くに形成されており、前記複数の他方のパッドのうち最も外周側に位置する第１のパッドは、直線状の線パターンから内周側に突出するように形成されている。
【００１５】
本発明に係る非接触式データキャリアでは、例えば、前記複数の他方のパッドのうち前記第１のパッドの次に外周側に位置する第２のパッドは、前記第１のパッドが位置する側では前記直線状の線パターンに隣接する内周側の線パターンが前記第１のパッドの横を通って前記第２のパッドの最内周側に接続されており、前記第１のパッドが位置する側の反対側では前記直線状の線パターンに隣接する内周側の線パターンが前記第２のパッドの最外周側に接続されている構成としてもよい。
【００１６】
本発明に係る非接触式データキャリアでは、好適には、絶縁性の保護層をさらに有し、前記絶縁基材の前記一方の面には、前記アンテナコイル、前記複数のパッド対、および前記部材を覆うように前記保護層が設けてある。
【００１８】
本発明に係る非接触式データキャリアでは、例えば、前記部材は、一方の電極端子と他方の電極端子からなる端子対を備えたＩＣチップを有し、前記一方の電極端子は、前記一方のパッドに接続されており、前記他方の電極端子は、前記他方のパッドに接続されている構成としてもよい。
【００１９】
前記複数のパッド対の各々は、複数巻された線パターンのそれぞれ異なる箇所に接続されるので、前記複数のパッド対から何れか１つまたは２つ以上のパッド対を選択してＩＣチップ等の部材を接続することによりチューニングを行うことができ、アンテナコイルの調整の手間を軽減することが可能である。
【００２０】
【発明の実施の形態】
以下、本発明の実施の形態を添付図面を参照して説明する。
【００２１】
アンテナシート
図１は、本発明に係るアンテナシートの実施の形態を示す概略的な構成図である。
このアンテナシート１０は、絶縁基材４と、複数のパッド対１Ａ，１Ｂ，２Ａ，２Ｂ，３Ａ，３Ｂと、アンテナコイル５とを有する。
【００２２】
絶縁基材４は、例えばＰＥＴ（ポリエチレンテレフタラート）等の合成樹脂からなり、図１では矩形の絶縁基材となっている。
絶縁基材４の一方の面には、アンテナコイル５と、３つのパッド対１Ａ，１Ｂ，２Ａ，２Ｂ，３Ａ，３Ｂとが形成されている。前記アンテナコイル５およびパッド対１Ａ，１Ｂ，２Ａ，２Ｂ，３Ａ，３Ｂは、例えば、レジスト材料を用いてエッチングによりパターン形成される。
【００２３】
３つのパッド対１Ａ，１Ｂ，２Ａ，２Ｂ，３Ａ，３Ｂは、第１のパッド対１Ａ，１Ｂと、第２のパッド対２Ａ，２Ｂと、第３のパッド対３Ａ，３Ｂとからなる。
第１のパッド対１Ａ，１Ｂは、一方のパッド１Ａと他方のパッド１Ｂからなる。第２のパッド対２Ａ，２Ｂは、一方のパッド２Ａと他方のパッド２Ｂからなる。第３のパッド対３Ａ，３Ｂは、一方のパッド３Ａと他方のパッド３Ｂからなる。
【００２４】
第１のパッド対のうち一方のパッド１Ａと他方のパッド１Ｂとの間隔は、第２のパッド対のうち一方のパッド２Ａと他方のパッド２Ｂとの間隔と同一または略同一であり、また、第３のパッド対のうち一方のパッド３Ａと他方のパッド３Ｂとの間隔と同一または略同一である。
【００２５】
上記３つのパッド対１Ａ，１Ｂ，２Ａ，２Ｂ，３Ａ，３Ｂの各々は、アンテナコイル５上に形成されており、一方のパッド１Ａ，２Ａ，３Ａから他方のパッド１Ｂ，２Ｂ，３Ｂまでのアンテナコイル５の線パターン６の巻数が互いに異なる。
例えば、パッド１Ａからパッド１Ｂまでの線パターン６の巻数は４であり、パッド２Ａからパッド２Ｂまでの線パターン６の巻数は５であり、パッド３Ａからパッド３Ｂまでの線パターン６の巻数は６である。このように、各パッド対に応じてアンテナコイルのインダクタンス、静電容量および電気抵抗が異なるようにしている。
【００２６】
一方のパッド１Ａ，２Ａ，３Ａと他方のパッド１Ｂ，２Ｂ，３Ｂは、アンテナコイル５の単一または複数の線パターン６を隔てて形成されており、一方のパッド１Ａ，２Ａ，３Ａは、アンテナコイル５の最外周の線パターン３０に沿って形成されている。
【００２７】
また、一方のパッド１Ａ，２Ａ，３Ａは、アンテナコイル５の一端またはその近くに形成されており、パッド１Ａはアンテナコイル５の一端を構成している。他方のパッド１Ｂ，２Ｂ，３Ｂのうち最も外周側に位置するパッド１Ｂは、直線状の線パターン３１，３２から内周側に突出するように形成されている。
【００２８】
他方のパッド１Ｂ，２Ｂ，３Ｂのうち第１のパッド１Ｂの次に外周側に位置する第２のパッド２Ｂは、第１のパッド１Ｂが位置する側では、前記直線状の線パターン３１に隣接する内周側の線パターン３３が、第１のパッド１Ｂの横を通って第２のパッド２Ｂの最内周側に接続されている。
また、第１のパッド１Ｂが位置する側の反対側では、前記直線状の線パターン３２に隣接する内周側の線パターン３４が、第２のパッド２Ｂの最外周側に接続されている。
【００２９】
他方のパッド１Ｂ，２Ｂ，３Ｂのうち最も内周側に位置する第３のパッド３Ｂは、アンテナコイル５の他端を構成している。第３のパッド３Ｂは、第２のパッド２Ｂが位置する側では、線パターン３３に隣接する内周側の線パターン３５が、第２のパッド２Ｂの横を通って第３のパッド３Ｂの最外周側に接続されている。
このように線パターンを形成することで、アンテナコイル５が囲む領域、特に、線パターン３１〜３５が囲む領域を大きくすることができ、当該領域の面積を大きくして鎖交磁束の変化によるアンテナコイル５の起電力を大きくすることが可能である。
【００３０】
非接触式データキャリア
図２は、本発明に係る非接触式データキャリアの第１の実施の形態を示す概略的な構成図である。
この非接触式データキャリア１１は、図１のアンテナシート１０に対して部材７を、第１のパッド対１Ａ，１Ｂに接続した構成である。なお、部材７は、アンテナコイル５およびパッド１Ａ，１Ｂの状態が判るように、図中では矩形状の枠で示している。
【００３１】
図２の非接触式データキャリア１１では、第２のパッド対２Ａ，２Ｂと第３のパッド対３Ａ，３Ｂとアンテナコイル５とを絶縁性のレジスト材料による絶縁膜（絶縁層）で覆い、第１のパッド対１Ａ，１Ｂを露出させて部材７を接続してもよい。
絶縁基材４のアンテナ形成面の全域には、第２のパッド対２Ａ，２Ｂと、第３のパッド対３Ａ，３Ｂと、アンテナコイル５と、部材７とを覆うように、絶縁性の不図示の保護層が設けてある。そして、製品の包装箱や製品自体に貼付され、例えばタグやラベル等に使用される。
【００３２】
図２の非接触式データキャリア１１では、第１のパッド対１Ａ，１Ｂに部材７が接続されているが、部材７の搭載位置により、第２のパッド対２Ａ，２Ｂに部材７を接続させることができ、または第３のパッド対３Ａ，３Ｂに部材７を接続させることができる。
【００３３】
図３は、図２の非接触式データキャリア１１の変形例を示す概略的な構成図である。
この非接触式データキャリア１２は、図１のアンテナシート１０に対して部材７を、第３のパッド対３Ａ，３Ｂに接続した構成である。なお、部材７は、アンテナコイル５およびパッド３Ａ，３Ｂの状態が判るように、図中では矩形状の枠で示している。
【００３４】
図３の非接触式データキャリア１２では、第１のパッド対１Ａ，１Ｂと第２のパッド対２Ａ，２Ｂとアンテナコイル５とを絶縁性のレジスト材料による絶縁膜（絶縁層）で覆い、第３のパッド対３Ａ，３Ｂを露出させて部材７を接続してもよい。
絶縁基材４のアンテナ形成面の全域には、第１のパッド対１Ａ，１Ｂと、第２のパッド対２Ａ，２Ｂと、アンテナコイル５と、部材７とを覆うように、絶縁性の不図示の保護層が設けてある。そして、製品の包装箱や製品自体に貼付され、例えばタグやラベル等に使用される。
【００３５】
図４は、図２の非接触式データキャリア１１の変形例を示す概略的な構成図である。
この非接触式データキャリア１３は、図１のアンテナシート１０に対し、部材７２を第２のパッド対２Ａ，２Ｂに接続すると共に、部材７３を第３のパッド対３Ａ，３Ｂに接続した構成である。なお、部材７２，７３は、アンテナコイル５およびパッド２Ａ，２Ｂ，３Ａ，３Ｂの状態が判るように、図中では矩形状の枠で示している。
【００３６】
図４の非接触式データキャリア１３では、第１のパッド対１Ａ，１Ｂとアンテナコイル５とを絶縁性のレジスト材料による絶縁膜（絶縁層）で覆い、第２および第３のパッド対２Ａ，２Ｂ，３Ａ，３Ｂを露出させて部材７２，７３を接続してもよい。
絶縁基材４のアンテナ形成面の全域には、第１のパッド対１Ａ，１Ｂと、アンテナコイル５と、部材７２，７３とを覆うように、絶縁性の不図示の保護層が設けてある。そして、製品の包装箱や製品自体に貼付され、例えばタグやラベル等に使用される。
【００３７】
第１のパッド対１Ａ，１Ｂ、第２のパッド対２Ａ，２Ｂ、および第３のパッド対３Ａ，３Ｂの各々は、一方のパッドから他方のパッドまでの線パターンによるアンテナコイルの特性が互いに異なる。
そして、図２および図３に示すように、第１〜第３のパッド対のうち１つのパッド対を選択して部材７を接続することにより非接触式データキャリアのチューニングを行うことができ、アンテナコイル５の調整の手間を軽減することが可能である。
部材７としては、例えば、選択されたパッド対を短絡させる導電性の部材（導電性部材）としてもよい。また、例えば、チップコンデンサ等のコンデンサとし、選択されたパッド対に接続されたアンテナコイル５と当該コンデンサとにより共振回路を構成してもよい。
【００３８】
また、図４に示すように、複数（第１〜第３）のパッド対のうち２つ以上のパッド対を選択して部材を接続することにより、非接触式データキャリアのチューニングを高精度に行うことが可能である。
部材７２，７３としては、例えば、選択されたパッド対を短絡させる導電性部材としてもよい。また、例えば、チップコンデンサ等のコンデンサとし、選択されたパッド対に接続されたアンテナコイル５と当該コンデンサとにより共振回路を構成してもよい。部材７２，７３の一方を導電性部材とし、他方をコンデンサとしてもよい。
【００３９】
図５は、本発明に係る非接触式データキャリアの第２の実施の形態を示す概略的な構成図である。
この非接触式データキャリア１４は、図１のアンテナシート１０に対してＩＣチップ８を、第１のパッド対１Ａ，１Ｂに接続した構成である。図２に示す非接触式データキャリア１１において、部材７としてＩＣチップ８を用いた構成である。なお、ＩＣチップ８は、アンテナコイル５およびパッド対１Ａ，１Ｂ，２Ａ，２Ｂの状態が判るように、図中では四角形状の枠で示している。
【００４０】
ＩＣチップ８の回路形成面には、一方の電極端子と他方の電極端子からなる端子対が形成されており、一方の電極端子は前記一方のパッドに対応し、他方の電極端子は前記他方のパッドに対応している。
ＩＣチップ８の端子対は、バンプを介して第１のパッド対１Ａ，１Ｂに接続されており、このＩＣチップ８はフリップチップ実装されている。
【００４１】
図５の非接触式データキャリア１４では、第２のパッド対２Ａ，２Ｂと第３のパッド対３Ａ，３Ｂとアンテナコイル５とを絶縁性のレジスト材料による絶縁膜（絶縁層）で覆い、第１のパッド対１Ａ，１Ｂを露出させてＩＣチップ８を接続してもよい。
絶縁基材４のアンテナ形成面の全域には、第２のパッド対２Ａ，２Ｂと、第３のパッド対３Ａ，３Ｂと、アンテナコイル５と、ＩＣチップ８とを覆うように、絶縁性の不図示の保護層が設けてある。そして、製品の包装箱や製品自体に貼付され、例えばタグやラベル等に使用される。
【００４２】
図５の非接触式データキャリア１４では、第１のパッド対１Ａ，１ＢをＩＣチップ８の端子対に接続しているが、ＩＣチップ８の搭載位置により、第２のパッド対２Ａ，２Ｂを前記端子対に接続することができ、または第３のパッド対３Ａ，３Ｂを前記端子対に接続することができる。
【００４３】
図６は、図５の非接触式データキャリア１４の変形例を示す概略的な構成図である。
この非接触式データキャリア１５は、図１のアンテナシート１０に対してＩＣチップ８の端子対を、第３のパッド対３Ａ，３Ｂに接続した構成である。なお、ＩＣチップ８は、アンテナコイル５およびパッド対３Ａ，３Ｂの状態が判るように、図中では四角形状の枠で示している。
【００４４】
図６の非接触式データキャリア１５では、第１のパッド対１Ａ，１Ｂと第２のパッド対２Ａ，２Ｂとアンテナコイル５とを絶縁性のレジスト材料による絶縁膜（絶縁層）で覆い、第３のパッド対３Ａ，３Ｂを露出させてＩＣチップ８の端子対を接続してもよい。
絶縁基材４のアンテナ形成面の全域には、第１のパッド対１Ａ，１Ｂと、第２のパッド対２Ａ，２Ｂと、アンテナコイル５と、ＩＣチップ８とを覆うように、絶縁性の保護層が設けてある。そして、製品の包装箱や製品自体に貼付され、例えばタグやラベル等に使用される。
【００４５】
図７は、図５の非接触式データキャリア１４の変形例を示す概略的な構成図である。
この非接触式データキャリア１６は、図１のアンテナシート１０に対し、ＩＣチップ８の端子対を第１のパッド対１Ａ，１Ｂに接続すると共に、部材７２を第２のパッド対２Ａ，２Ｂに接続した構成である。なお、ＩＣチップ８は、アンテナコイル５およびパッド対１Ａ，１Ｂの状態が判るように、図中では四角形状の枠で示しており、部材７２は、アンテナコイル５およびパッド対２Ａ，２Ｂの状態が判るように、図中では矩形状の枠で示している。
【００４６】
図７の非接触式データキャリア１６では、第３のパッド対３Ａ，３Ｂとアンテナコイル５とを絶縁性のレジスト材料による絶縁膜（絶縁層）で覆い、第１および第２のパッド対１Ａ，１Ｂ，２Ａ，２Ｂを露出させてＩＣチップ８および部材７２を接続してもよい。
絶縁基材４のアンテナ形成面の全域には、第３のパッド対３Ａ，３Ｂと、アンテナコイル５と、ＩＣチップ８と、部材７２とを覆うように、絶縁性の保護層が設けてある。そして、製品の包装箱や製品自体に貼付され、例えばタグやラベル等に使用される。
【００４７】
図８は、図５の非接触式データキャリア１４の変形例を示す概略的な構成図である。
この非接触式データキャリア１７は、図１のアンテナシート１０に対し、ＩＣチップ８の端子対を第１のパッド対１Ａ，１Ｂに接続すると共に、部材７３を第３のパッド対３Ａ，３Ｂに接続した構成である。なお、ＩＣチップ８は、アンテナコイル５およびパッド対１Ａ，１Ｂの状態が判るように、図中では四角形状の枠で示しており、部材７３は、アンテナコイル５およびパッド対３Ａ，３Ｂの状態が判るように、図中では矩形状の枠で示している。
【００４８】
図８の非接触式データキャリア１７では、第２のパッド対２Ａ，２Ｂとアンテナコイル５とを絶縁性のレジスト材料による絶縁膜（絶縁層）で覆い、第１および第３のパッド対１Ａ，１Ｂ，３Ａ，３Ｂを露出させてＩＣチップ８および部材７３を接続してもよい。
絶縁基材４のアンテナ形成面の全域には、第２のパッド対２Ａ，２Ｂと、アンテナコイル５と、ＩＣチップ８と、部材７３とを覆うように、絶縁性の保護層が設けてある。そして、製品の包装箱や製品自体に貼付され、例えばタグやラベル等に使用される。
【００４９】
第１のパッド対１Ａ，１Ｂ、第２のパッド対２Ａ，２Ｂ、および第３のパッド対３Ａ，３Ｂの各々は、一方のパッドから他方のパッドまでの線パターンによるアンテナコイルの特性が互いに異なる。
そして、図５および図６に示すように、第１〜第３のパッド対のうち１つのパッド対を選択してＩＣチップ８を接続することにより非接触式データキャリアのチューニングを行うことができ、アンテナコイル５の調整の手間を軽減することが可能である。
【００５０】
また、図７および図８に示すように、複数（第１〜第３）のパッド対のうち２つ以上のパッド対を選択してＩＣチップ８や部材７２，７３を接続することにより、非接触式データキャリアのチューニングを高精度に行うことが可能である。なお、ＩＣチップ８は、回路形成面にパターン形成されたコンデンサを有し、選択されたパッド対に接続されたアンテナコイル５と当該コンデンサとにより共振回路を構成してもよい。
【００５１】
以上に説明したように、図１のアンテナシート１０は、部材７を搭載した非接触式データキャリア１１〜１３に使用可能であり、ＩＣチップ８を搭載した非接触式データキャリア１４，１５に使用可能であり、部材７２または部材７３とＩＣチップ８とを搭載した非接触式データキャリア１６，１７に使用可能である。なお、上記実施の形態は本発明の例示であり、本発明は上記実施の形態に限定されない。
【００５２】
【発明の効果】
本発明に係る非接触式データキャリアでは、複数のパッド対の各々は、一方のパッドから他方のパッドまでの線パターンによるアンテナコイルの特性が互いに異なるので、前記複数のパッド対のうち１つのパッド対を選択して部材を接続することによりチューニングを行うことができ、アンテナコイルの調整の手間を軽減することが可能である。
また、本発明によれば、当該非接触式データキャリアに使用可能なアンテナシートを提供することができる。
【図面の簡単な説明】
【図１】本発明に係るアンテナシートの実施の形態を示す概略的な構成図である。
【図２】本発明に係る非接触式データキャリアの第１の実施の形態を示す概略的な構成図である。
【図３】図２の非接触式データキャリアの第１の変形例を示す概略的な構成図である。
【図４】図２の非接触式データキャリアの第２の変形例を示す概略的な構成図である。
【図５】本発明に係る非接触式データキャリアの第２の実施の形態を示す概略的な構成図である。
【図６】図５の非接触式データキャリアの第１の変形例を示す概略的な構成図である。
【図７】図５の非接触式データキャリアの第２の変形例を示す概略的な構成図である。
【図８】図５の非接触式データキャリアの第３の変形例を示す概略的な構成図である。
【符号の説明】
１Ａ…パッド（一方のパッド）、１Ｂ…パッド（他方のパッド）、２Ａ…パッド（一方のパッド）、２Ｂ…パッド（他方のパッド）、３Ａ…パッド（一方のパッド）、３Ｂ…パッド（他方のパッド）、４…絶縁基材、５…アンテナコイル、６…線パターン、７，７２，７３…部材、８…ＩＣチップ、１０…アンテナシート、１１〜１７…非接触式データキャリア、３０〜３５…線パターン。
【図１】
0004190695.tif 000002
【図２】
0004190695.tif 000003
【図３】
0004190695.tif 000004
【図４】
0004190695.tif 000005
【図５】
0004190695.tif 000006
【図６】
0004190695.tif 000007
【図７】
0004190695.tif 000008
【図８】
0004190695.tif 000009